(57)【特許請求の範囲】
【請求項１】
平行に設けられ近接する対向外周面が同一方向に変位する２つの回転胴の一方の胴に設けた保持機構で紙の先行側を保持し、保持した紙の先行側を一方の胴の回転によって他方の胴との近接位置を通過させ予め定めた適宜位置まで案内して保持から解放するとともに、遅くとも解放時点に予め定められた長さの被切断紙とされているこの紙の中間部を、この中間部と前記近接位置で対向する他方の胴の外周面に設けられた溝内に向けて一方の胴に設けた差し刃で差し込み、この差し込まれた被切断紙を前記溝に受入れて前記中間部で他方の胴の中心線と平行に折畳む、輪転機の折畳装置において、
溝に受入れた紙の紙幅方向中央に対して紙幅方向両側から進退し、紙の、差し刃が接触している側に接触して紙の中間部を溝内に留め得るよう他方の胴に設けられた紙留め手段と、
紙留め手段を予め定めた所定のタイミングで進退動作させる紙留め動作付与手段と、
を備えた折畳装置。
【請求項２】
平行に設けられ近接する対向外周面が同一方向に変位する２つの回転胴の一方の胴に設けた保持機構で紙の先行側を保持し、保持した紙の先行側を一方の胴の回転によって他方の胴との近接位置を通過させ予め定めた適宜位置まで案内して保持から解放するとともに、遅くとも解放時点に予め定められた長さの被切断紙とされているこの紙の中間部を、この中間部と前記近接位置で対向する他方の胴の外周面に設けられた溝内に向けて一方の胴に設けた差し刃で差し込み、この差し込まれた被切断紙を前記溝に受入れて前記中間部で他方の胴の中心線と平行に折畳む、輪転機の折畳装置において、
溝に受入れた紙の紙幅方向中央に対して紙幅方向両側から進退し、紙の、差し刃が接触している側に接触して紙の中間部を溝内に留め得るよう他方の胴に設けられた紙留め手段と、
溝内で開閉可能に設けられ紙留め手段で溝内に留めた被切断紙をその幅方向にそって挟むよう他方の胴に設けられた紙挟み手段と、
紙留め手段を予め定めた所定のタイミングで進退動作させる紙留め動作付与手段と、
紙挟み手段を予め定めた所定のタイミングで挟み動作させる紙挟み動作付与手段と、
を備えた折畳装置。
【発明の詳細な説明】
【０００１】
【発明の属する技術分野】
この発明は、連続紙を切断して折畳む折畳装置に関し、詳細には、平行に設けられ近接する対向外周面が同一方向に変位する２つの回転胴の一方の胴に設けた保持機構で紙の先行側を保持し、保持した紙の先行側を一方の胴の回転によって他方の胴との近接位置を通過させ予め定めた適宜位置まで案内して保持から解放するとともに、遅くとも解放時点に予め定められた長さの被切断紙とされているこの紙の中間部を、この中間部と前記近接位置で対向する他方の胴の外周面に設けられた溝内に向けて一方の胴に設けた差し刃で差し込み、この差し込まれた被切断紙を前記溝に受入れて前記中間部で他方の胴の中心線と平行に折畳む、輪転機の折畳装置に関する。
【０００２】
【従来の技術】
前記のような輪転機の折畳装置は、例えば、特開昭６３−１８９３６７号公報に示されるものが公知である。
【０００３】
特開昭６３−１８９３６７号公報に示されるものは、平行に設けられて近接して回転するように第１の胴、第２の胴（一方の胴）、第３の胴（他方の胴）を備えた装置において、第１の胴と第２の胴の間に連続紙を通し、両胴の回転によって共同作用する第１の胴の切刃と第２の胴の受け部材とで連続紙を一定の長さで切断し、この切断した紙を第２の胴の受け部材に近接して設けた保持手段で第２の胴の周面に保持し、第２の胴の回転によって第２の胴の周面にそって移動した紙の中間部が、第２の胴に近接した第３の胴との近接位置に達したときに、この紙の中間部を第２の胴に設けられた押出部材で、この押出部材に対応させて第３の胴に設けられた係止手段に向けて押し出し、係止手段である固定して設けられた爪部材とこの爪部材に対して接近、離隔すべく揺動する押さえ板の間に突込み、係止手段に咥えさせて紙の中間部で折るように構成されている。
【０００４】
【発明が解決しようとする課題】
以上記載のとおり、このような折畳装置は、差し込まれた被切断紙を、前記固定して設けられた爪部材で代表される固定部材とこの固定部材に対して接近、離隔すべく揺動する押さえ板で代表される移動部材とで咥え、この状態で、他方の胴が回転しつつ一方の胴から紙を引き取り、かつ紙に折り目付けをし、下流に引渡すようになっている。そのため、他方の胴が一方の胴から紙を引き取る動作中に作用する大きな引き戻し力によって紙が抜け落ちることが無いように、固定部材と移動部材とで極めて大きな力で紙を咥えるようになっており、この大きな力で咥えられる位置では、折畳まれ重ねられて接触している印刷面において、互いに接触している相手面の印刷画像が転移して、印刷面を汚し印刷品質を著しく低下させていた。
【０００５】
この発明は、以上記載の課題を解決するためになされたもので、他方の胴の外周面に設けられた溝内に向けて一方の胴に設けた差し刃で差し込み、この差し込まれた被切断紙を前記溝に受入れて前記中間部で他方の胴の中心線と平行に折畳む輪転機の折畳装置において、他方の胴が一方の胴から紙を引き取る動作中に大きな引き戻し力が作用しても紙が抜け落ちることが無く、しかも、折畳まれ重ねられて接触している印刷面において、互いに接触している相手面からの印刷画像の転移を無くして、接触している相手面からの印刷画像の転移による印刷面の汚れをなくし、印刷品質低下を一掃しようとするものである。
【０００６】
【課題を解決するための手段】
上記課題を解決するために、本発明の請求項１に係る折畳装置は、平行に設けられ近接する対向外周面が同一方向に変位する２つの回転胴の一方の胴に設けた保持機構で紙の先行側を保持し、保持した紙の先行側を一方の胴の回転によって他方の胴との近接位置を通過させ予め定めた適宜位置まで案内して保持から解放するとともに、遅くとも解放時点に予め定められた長さの被切断紙とされているこの紙の中間部を、この中間部と前記近接位置で対向する他方の胴の外周面に設けられた溝内に向けて一方の胴に設けた差し刃で差し込み、この差し込まれた被切断紙を前記溝に受入れて前記中間部で他方の胴の中心線と平行に折畳む、輪転機の折畳装置において、溝に受入れた紙の紙幅方向中央に対して紙幅方向両側から進退し、紙の、差し刃が接触している側に接触して紙の中間部を溝内に留め得るよう他方の胴に設けられた紙留め手段と、紙留め手段を予め定めた所定のタイミングで進退動作させる紙留め動作付与手段とからなっている。
【０００７】
また、本発明の請求項２に係る折畳装置は、平行に設けられ近接する対向外周面が同一方向に変位する２つの回転胴の一方の胴に設けた保持機構で紙の先行側を保持し、保持した紙の先行側を一方の胴の回転によって他方の胴との近接位置を通過させ予め定めた適宜位置まで案内して保持から解放するとともに、遅くとも解放時点に予め定められた長さの被切断紙とされているこの紙の中間部を、この中間部と前記近接位置で対向する他方の胴の外周面に設けられた溝内に向けて一方の胴に設けた差し刃で差し込み、この差し込まれた被切断紙を前記溝に受入れて前記中間部で他方の胴の中心線と平行に折畳む、輪転機の折畳装置において、溝に受入れた紙の紙幅方向中央に対して紙幅方向両側から進退し、紙の、差し刃が接触している側に接触して紙の中間部を溝内に留め得るよう他方の胴に設けられた紙留め手段と、溝内で開閉可能に設けられ紙留め手段で溝内に留めた被切断紙をその幅方向にそって挟むよう他方の胴に設けられた紙挟み手段と、紙留め手段を予め定めた所定のタイミングで進退動作させる紙留め動作付与手段と、紙挟み手段を予め定めた所定のタイミングで挟み動作させる紙挟み動作付与手段とからなっている。
【０００８】
【作  用】
一方の胴に設けた保持機構が紙の先行側を保持し、この一方の胴の回転によって保持した紙の先行側を、他方の胴との近接位置を通過させ予め定めた適宜位置まで案内し保持から解放する。この先行側の解放と略同じタイミングで、遅くとも解放時点に予め定められた長さの被切断紙とされているこの紙の中間部を、この中間部と前記近接位置で対向する他方の胴の外周面に設けられた溝内に向けて、一方の胴に設けた差し刃が突き出し、被切断紙を中間部でカーブしたヘアピン状の形状で前記溝内に差し込む。
【０００９】
被切断紙が、中間部でカーブしたヘアピン状の形状で溝内に差し込まれると、被切断紙が差し込まれる際に差し込まれる被切断紙と干渉しないように、差し込まれる被切断紙の幅方向両側より外周に退避していた紙留め手段が、溝に差し入れられた被切断紙の紙幅方向両側から紙幅方向中央部に向けて移動し、被切断紙のヘアピン状の形状にカーブした部分の内側、すなわち被切断紙の、差し刃が接触している側に接触し被切断紙を溝内に留める。次いで差し刃が一方の胴側に引き込まれるとともに、一方の胴と他方の胴は、引き続き回転を続ける。
【００１０】
一方の胴と他方の胴の引き続く回転により、他方の胴の外周面の溝は一方の胴の外周面から遠ざかり、紙留め手段は、被切断紙のヘアピン状の形状にカーブした部分の内側に接触して被切断紙を溝内に留め、溝から抜け出るのを防止する。また、この回転により、一方の胴の回転方向に向かう慣性力が働いている、被切断紙の差し刃に突き出された部位よりも先行側部分を、その慣性力に抗して一方の胴の外周面から引き離して他方の胴の外周面に引き取る。そして、被切断紙を紙留め手段が接触している部位でふたつ折れにし、被切断紙の差し刃に突き出された部位よりも先行側部分を、他方の胴の外周面上でこの外周面に沿った状態で、被切断紙の差し刃に突き出された部位よりも後行側部分の上に重ね合わせる。被切断紙の差し刃に突き出された部位よりも先行側部分を、その慣性力に抗して一方の胴の外周面から引き離して他方の胴の外周面に引き取る際、紙留め手段は、被切断紙のヘアピン状の形状にカーブした部分の内側、すなわち、慣性力によって引かれる側にあって被切断紙が溝から引き抜かれるのを妨げる。したがって、被切断紙は強い力で挟まれることがない。
【００１１】
請求項２の構成においても、紙留め手段は被切断紙に同様に作用する。そして、紙挟み手段は、紙留め手段によって溝内に留められた被切断紙のヘアピン状の形状にカーブした部分の近傍を挟み、前記したように紙留め手段の留め作用と一方、他方２つの胴の回転との共同作用によって、紙留め手段が接触している部位でふたつ折れした被切断紙に、より明確な折り目付けをする。この折り目付けのために紙挟み手段が被切断紙を挟む力は、被切断紙が溝から引き抜かれるのを防止する必要がないので、折り目付けだけに必要な程度の小さな力で行われる。
【００１２】
請求項１の構成、請求項２の構成のいずれにおいても、他方の胴は、引き続き回転を続け予め定められた所定の位相に達する。当該位相に達すると、被切断紙のふたつ折れ部位の内側に接触している紙留め手段が被切断紙の紙幅方向外側に向けて移動し、被切断紙が溝から抜け出す際に抜け出す被切断紙と干渉しないように、抜け出す被切断紙の幅方向両側より外側に退避させられる。次いで、被切断紙がふたつ折れの状態で適宜の手段によって溝から出され、より下流に設けられた適宜の機構に渡される。
【００１３】
【発明の実施の形態】
次に、この発明の実施の形態について、図面を参照して説明する。
図１は、この発明の折畳装置に係る主要機構の１つの実施の形態を、回転胴との関係で示す、図２におけるＴ−Ｔ矢視断面図、図２は、図１のＵ−Ｕ矢視断面図、図３は、図１のＶ−Ｖ矢視断面図、図４は、この発明の折畳装置に係る主要機構である図１におけるＷ部を拡大して示す一部断面図、図５は、図４のＸ−Ｘ矢視一部断面図、図６は、図４に示す機構とは異なるこの発明の折畳装置に係る主要機構を拡大して示す一部断面図、図７は、図６のＹ−Ｙ矢視一部断面図、図８は、図６のＺ矢視図、図９は、この発明の折畳装置の１つの実施の形態の概略構成を示す説明図である。
【００１４】
この発明に係る折畳装置は、図９に示すように、対向するフレームＦＦａ、ＦＦｂ（一方は図示せず）間に互いに中心線を平行にして、第１胴Ｆ１、一方の胴である第２胴Ｆ２、他方の胴である第３胴Ｆ３が設けられ、更に、第３胴Ｆ３から放出される折り畳まれた被切断紙ＰＣを受領羽根ＦＡで受領し、搬出コンベヤＦＣに放出する羽根車Ｆ４が設けられる。
【００１５】
輪転機の印刷部（図示せず）で画像が印刷された少なくとも１枚の連続紙Ｗは、走行させられつつ適宜の手段によって重ね合せられまたはそのまま走行させられ、必要に応じて適宜の手段（例えば、フォーマー）によって折り重ね合せられて、ニッピングローラーＦＮによって第１胴Ｆ１と第２胴Ｆ２との間に向けて送り込まれる。第１胴Ｆ１と第２胴Ｆ２との間に送り込まれた連続紙Ｗは、まず、第２胴Ｆ２の軸方向にそって複数設けられた針Ｆ２１でその先行側の部位を保持されるとともに、両胴の外周面近接位置で、第１胴Ｆ１の鋸刃Ｆ１１が第２胴Ｆ２の鋸刃受けＦ２２にくい込むことによって前記針Ｆ２１による保持位置より若干先行する位置が切断されることが繰り返され、次々に第２胴Ｆ２の円周方向の複数箇所に設けられた針Ｆ２１によって第２胴Ｆ２の外周面に保持された被切断紙ＰＣとされ、第２胴Ｆ２の回転に従って移動させられる。
【００１６】
そして、この被切断紙ＰＣの中間部が第２胴Ｆ２と第３胴Ｆ３の外周面近傍位置に至り、第２胴Ｆ２の差し刃Ｆ２３と第３胴Ｆ３の外周面に第３胴Ｆ３の中心線と平行に設けられた溝Ｇとが前記第２胴Ｆ２と第３胴Ｆ３の外周面近接位置で相対すると、針Ｆ２１が第２胴Ｆ２の外周面から第２胴Ｆ２内に沈降して、被切断紙ＰＣを放すとともに、差し刃Ｆ２３が被切断紙ＰＣの中間部を溝Ｇに向けて突き出す。差し刃Ｆ２３にて突き出された被切断紙ＰＣの中間部は、咥え胴Ｆ３の外周面近傍に咥え胴Ｆ３の中心線と平行に設けられた溝Ｇに、溝Ｇの開口部から中間部でヘアピン状にカーブした状態で差し入れられて折り目付けされるとともに、溝Ｇに対応して設けられた図１にて示した紙留め手段１０によってヘアピン状のカーブの内側に干渉され溝Ｇ内に留められる。
【００１７】
更に、図示の実施の形態では、差し刃Ｆ２３に突き出された被切断紙ＰＣの中間部は、ヘアピン状のカーブの近傍外側を溝Ｇ内に設けられた図１にて示した紙挟み手段３０によって軽く挟まれ、紙留め手段１０が接触している部位でふたつ折れした被切断紙に、より明確な折り目付けがなされる。
【００１８】
紙留め手段１０によって溝Ｇ内に留められ、紙挟み手段３０によって軽く挟まれた被切断紙ＰＣは、第３胴Ｆ３の回転によって、中間部より先行側が第２胴Ｆ２の回転する向きと逆に引き戻され、第３胴Ｆ３の外周面上で、中間部より後行側の外側に重ね合わせられ、中間部で折り畳まれた状態で、第３胴Ｆ３の回転に従って移動させられる。第３胴Ｆ３の回転に従って移動させられた被切断紙ＰＣは、その咥えられた中間部が羽根車Ｆ４の受領羽根ＦＡと相対する位置の近傍で解放され、受領羽根ＦＡ間の受領スペースで受領され、羽根車Ｆ４の回転によって搬出コンベヤＦＣ上に放出される。
【００１９】
以上記載の折畳装置における主要機構は、図１乃至図３に示すように前記第３胴Ｆ３に関連して以下のように構成される。
【００２０】
折畳装置の第３胴Ｆ３は、紙挟み手段３０の可動部材３１が角変位可能に支持された第１基体５０、紙挟み手段３０の非可動部材３２が固定された第２基体６０、これら第１基体５０と第２基体６０とが個別に角変位可能に支持された第３基体７０とより構成され、第３基体７０の端軸７３ａ、７３ｂによって、フレームＦＦａ、ＦＦｂに回転可能に支持されている。
【００２１】
第１基体５０は、第３基体７０の両側に設けられた小径部にそれぞれ第３基体７０の回転中心周りに角変位可能に取り付けられた第１側板５１ａ、５１ｂ及びこれらを連結するとともに第３胴Ｆ３の外周面の一部を構成する複数のステー５２（図２、図３参照）を有し、第１側板５１ａ、５１ｂにおける第３胴Ｆ３の外周面近傍には、紙挟み手段３０を構成する可動軸３３が角変位可能に設けられ、この可動軸３３には、その長手方向に沿って紙挟み手段３０の可動部材３１が取り付けられている。
【００２２】
第２基体６０は、第３基体７０の両側に設けられた小径部にそれぞれ第３基体７０の回転中心周りに角変位可能に取り付けられた第２側板６１ａ、６１ｂ及びこれらを連結するとともに咥え胴Ｆ３の外周面の一部を構成する複数のステー６２（図２、図３参照）を有し、これらステー６２の前記可動部材３１と対向する先端部には紙挟み手段３０の非可動部材３２が固定されている。
【００２３】
第３基体７０は、両側が小径に形成されかつ中間に複数の立上り部が放射状に形成された本体７１、前記立上り部に設けられるとともに第３胴Ｆ３の外周面の一部を構成する複数のステー７２（図２、図３参照）、本体７１の両端に設けられた端軸７３ａ、７３ｂ及び第１基体５０及び第２基体６０の軸方向移動を拘束する拘束部材７４ａ、７４ｂを有している。一方の端軸７３ａは、軸受７５、軸受スリーブ７６を介して一方のフレームＦＦａに回転可能に支持されており、他方の端軸７３ｂは、軸受７７、軸受７８、これら軸受７７、７８の間に第３基体７０の回転中心周りに回転可能な歯車機構ＧＳ及び軸受７８の外側に設けられた軸受スリーブ７９を介して他方のフレームＦＦｂに回転可能に支持されている。そして、第３基体７０の軸方向両側近傍かつ外周面近傍の前記ステー５２及びステー６２の間には、紙留め手段１０が、それぞれの紙留め部材１１を第３胴Ｆ３の軸方向と平行な向きで対向した状態にして設けられている。
【００２４】
また、第３基体７０の他方の端軸７３ｂの他方フレームＦＦｂから突出した端部には、図示しない駆動源に連結された従動歯車９０が取り付けられ、従動歯車９０を介して第３基体７０が回転され、ひいては咥え胴Ｆ３が回転されるようになっている。
【００２５】
更に、第３基体７０には、２本の連結軸８０、８０（図２、図３参照）が回転可能に設けられている。連結軸８０、８０のそれぞれは、図示しない偏心カムを介して第１側板５１ａ、５１ｂまたは第２側板６１ａ、６１ｂと連結され、第１基体５０及び第２基体６０の第３基体７０に対する自由な回転変位を規制可能であるとともに、歯車機構ＧＳの第１歯車Ｇ１と噛み合わせられた、図中に２点鎖線で示す歯車Ｇ３が取り付けられている。そして、歯車機構ＧＳの前記第１歯車Ｇ１と一体で回転しかつ前記従動歯車９０とともに中間歯車機構１００のはすば歯車と噛み合わせられた第２歯車Ｇ２が、中間歯車機構１００のはすば歯車の回転中心線と平行方向への移動操作によって従動歯車９０に対する第２歯車Ｇ２の回転位相がずらされたときに、第１歯車Ｇ１および第１歯車Ｇ１と噛み合わせられた前記歯車Ｇ３を介して、前記連結軸８０、８０及び偏心カムが角変位され、第１基体５０及び第２基体６０の第３基体７０に対する回転方向位相を相互に関連させて変位させることができ、前記紙挟み手段３０の可動部材３１と非可動部材３２との近接時の間隔が調整可能になっている。
【００２６】
第３基体７０に設けられる紙留め手段１０は、図１、図２、図４及び図５に示すとおり以下のように構成される。
【００２７】
すなわち、第３基体７０に固定された前記拘束部材７４ａ（７４ｂ）には、その外周面近傍かつステー５２とステー６２とが近接して第３胴Ｆ３外周面上の等分位置に形成する溝Ｇの近傍位置に、第３胴Ｆ３の中心線と平行な貫通穴を備えた案内部材１３が拘束部材７４ａ（７４ｂ）を貫通して取り付けられ、案内部材１３の貫通穴には軸受１３ａ、１３ａを介して軸方向に移動可能にロッド１２が装着されている。
【００２８】
ロッド１２のフレーム側突出端にはカムフォロアー取付部１２ｂが設けられ、このカムフォロアー取付部１２ｂには、ロッド１２の中心線と直角かつロッド１２の中心線と交わる第３胴Ｆ３の半径と平行なピン１４を介してカムフォロアー１５が回転可能に取り付けられている。カムフォロアー１５は、ロッド１２に沿って案内部材１３とカムフォロアー取付部１２ｂとの間に設けられた圧縮ばね１６の反発力によって、紙留め動作付与手段であるカム２１のカム面に押し付けられている。
【００２９】
カム２１は、第３胴Ｆ３の回転中心を中心とした同心円状円弧乃至同心円状で、紙留め手段１０に紙留め作用をさせる部位が、第３胴Ｆ３の軸方向と平行に第３胴Ｆ３側に高くなっており、後に説明する紙挟み手段３０に動作を付与する紙挟み動作付与手段であるカム４１に、ブラケット２１ａを介して（または第３胴Ｆ３をフレームＦＦｂに支持する軸受スリーブ７９にブラケット２１ｂを介して）取り付けられている。加えて、カムフォロアー取付部１２ｂには、ロッド１２の中心線及びピン１４の中心線の双方に直角なガイドピン１２ｃが設けられている。このガイドピン１２ｃは、拘束部材７４ａ（７４ｂ）に取付けたブラケット１９の、拘束部材７４ａ（７４ｂ）の外側面及びガイドピン１２ｃの双方に直角な面に設けられた第３胴Ｆ３の中心線と平行なスリット１９ａに挿入され、ロッド１２が軸方向に移動するときのロッド１２の軸線周りの位相を拘束するようになっている。
【００３０】
また、ロッド１２の第３胴内側突出端には、ロッド１２の中心線及びロッド１２の中心線と交わる第３胴Ｆ３の半径の双方に平行に面取りした２面幅部分が設けられ、この２面幅部分には円柱状の滑り部材１２ａが２面幅の面に直角に突出して設けられている。加えて、ロッド１２の案内部材１３と滑り部材１２ａとの間には、ストッパー１７が固定されている。ストッパー１７は、案内部材１３の端面に接触し、圧縮ばね１６の反発力によってカム２１に向かって移動させられるロッド１２の移動量を制限するようになっている。この制限は、カム２１が円弧状に設けられた構成の場合に有効である。
【００３１】
他方、第３基体７０の本体７１には、第３胴Ｆ３の半径方向に延びるブラケット１８が取り付けられ、このブラケット１８の先端部に適宜の間隔を開いてヨーク状に対向するアーム１８ａ、１８ａが設けてあり、これの間に渡して、軸１８ｂが設けられている。軸１８ｂには、後に説明する紙挟み手段３０の可動軸３３を跨いでこれを躱すように第３胴Ｆ３の中心側が開いた二股部材１１ｃが、軸受１８ｃを介して角変位可能に設けられている。二股部材１１ｃには、第３胴Ｆ３の外周方向に第３胴Ｆ３の外周を出ないように延びかつロッド１２の中心線と平行な面を有する紙留め取付部１１ｂが設けられている。更に、紙留め取付部１１ｂには、前記滑り部材１２ａが移動可能に嵌入される長穴状のスリット１１ｄが設けられておりかつ紙留め部材１１が取り付けられている。
【００３２】
紙留め部材１１には、第３胴Ｆ３の外周面に開口する前記溝Ｇ内の第３胴Ｆ３の外周面の僅かに内側に、第３胴Ｆ３の中心線と平行に第３胴Ｆ３の中央部に向かって延びる紙留め部１１ａが設けられている。そして、カム２１に従ってロッド１２が軸方向に移動するときに、二股部材１１ｃが軸１８ｂ周りに角変位し、前記紙留め部材１１の紙留め部１１ａが、第３胴Ｆ３の外周面におけるこの折畳装置で折り畳む紙の巻付き領域Ｌ（図１参照）内に対しを出入りするようになっている。
【００３３】
図６、図７には、前記図１、図２、図４及び図５に示す紙留め手段１０とは、構成が若干相違する紙留め手段１０が示されている。
【００３４】
すなわち、前記拘束部材７４ａ（７４ｂ）には、その外周面近傍かつステー５２とステー６２とが近接して第３胴Ｆ３外周面上の等分位置に形成する溝Ｇの近傍位置に、第３胴Ｆ３の中心線と平行な貫通穴を備えた案内部材１３が拘束部材７４ａ（７４ｂ）を貫通して取り付けられ、案内部材１３の貫通穴には軸受１３ａ、１３ａを介して軸方向に移動可能にロッド１２が装着されている。
【００３５】
ロッド１２のフレーム側突出端にはカムフォロアー取付部１２ｂが設けられ、このカムフォロアー取付部１２ｂには、ロッド１２の中心線と直角かつロッド１２の中心線と交わる第３胴Ｆ３の半径と平行なピン１４を介してカムフォロアー１５が回転可能に取り付けられている。カムフォロアー１５は、ロッド１２に沿って案内部材１３とカムフォロアー取付部１２ｂとの間に設けられた圧縮ばね１６の反発力によって、カム２１のカム面に押し付けられている。カム２１は、第３胴Ｆ３の回転中心を中心とした同心円状円弧乃至同心円状で、紙留め手段１０に紙留め作用をさせる部位が、第３胴Ｆ３の軸方向と平行に第３胴Ｆ３側に高くなっており、後に説明する紙挟み手段３０に動作を付与する紙挟み動作付与手段であるカム４１に、ブラケット２１ａを介して（または第３胴Ｆ３をフレームＦＦｂに支持する軸受スリーブ７９にブラケット２１ｂを介して）取り付けられている。加えて、カムフォロアー取付部１２ｂには、ロッド１２の中心線及びピン１４の中心線の双方に直角なガイドピン１２ｃが設けられている。このガイドピン１２ｃは、拘束部材７４ａ（７４ｂ）に取付けたブラケット１９の、拘束部材７４ａ（７４ｂ）の外側面及びガイドピン１２ｃの双方に直角な面に設けられた第３胴Ｆ３の中心線と平行に設けたスリット１９ａに挿入され、ロッド１２が軸方向に移動するときのロッド１２の軸線周りの位相を拘束する。ここまでの構成は図４、図５に示した構成と同じである。
【００３６】
そして、ロッド１２の第３胴内側突出端には、紙留め取付部材１１ｅがロッド１２の中心線及びピン１４の中心線と双方に平行な面を有するように取り付けられており、この面には紙留め部材１１が取り付けられている。紙留め部材１１には、第３胴Ｆ３の外周面に開口する前記溝Ｇ内の第３胴Ｆ３の外周面の僅かに内側に、第３胴Ｆ３の中心線と平行に第３胴Ｆ３の中央部に向かって延びる紙留め部１１ａが設けられている。そして、カム２１に従ってロッド１２が軸方向に移動するときに、このロッド１２の移動に従って前記紙留め部材１１の紙留め部１１ａが、第３胴Ｆ３の外周面におけるこの折畳装置で折り畳む紙の巻付き領域Ｌに対し平行に出入りするようになっている。加えて、ロッド１２の案内部材１３と紙留め取付部材１１ｅとの間には、ストッパー１７が固定されている。ストッパー１７は、案内部材１３の端面に接触し、圧縮ばね１６の反発力によってカム２１に向かって移動させられるロッド１２の移動量を制限する。この制限は、カム２１が円弧状に設けられた構成の場合に有効である。
【００３７】
紙挟み手段３０は、以下のように構成される。
すなわち、前記第１側板５１ａ、５１ｂには、その外周面近傍かつステー５２とステー６２とが近接して第３胴Ｆ３外周面上の等分位置に形成する溝Ｇの近傍位置に、可動軸３３の両端が軸受を介して角変位可能に設けられ、この可動軸３３には、その軸方向に適宜の間隔で設けられた可動部材取付けブロック３７を介して可動部材３１が取り付けられている。また、前記ステー５２とステー６２とが近接して第３胴Ｆ３外周面上の等分位置に形成する溝Ｇの、ステー６２が形成する第３胴Ｆ３の軸方向に平行な内壁には、前記可動部材３１と対応する位置に非可動部材３２が取り付けられている。
【００３８】
更に、前記可動軸３３の一方端は、一方の第１側板５１ａからフレームＦＦａ側に突出し、突出した端部に、可動軸３３の中心線に対し放射方向に伸びるアーム３４が取り付けられるとともに、このアーム３４の自由端側には、可動軸３３の中心線と平行なピン３５が取り付けられ、さらに、ピン３５には、カムフォロアー３６が、回転可能に取り付けられており、可動軸３３、アーム３４、ピン３５及びカムフォロアー３６で可動部材３１を角変位させる角変位伝達機構を構成している。
【００３９】
更に、前記第３胴Ｆ３の一方の第１側板５１ａから突出した可動軸３３の端部と対向するフレームＦＦａに設けられた軸受スリーブ７６には、第３胴Ｆ３の回転中心（つまり、第３基体７０の回転中心）を中心にしたカム案内面が設けられ、この案内面に沿って角変位可能であるように、紙挟み動作付与手段であるカム４１が取付けられている。カム４１には、前記咥え胴Ｆ３の回転中心を中心とした外周カム面４１ａを有し、カムフォロアー３６の直径より僅かに広幅の溝４１ｂが設けられ、外周カム面４１ａには、図示しないねじりばねの回復力の働きによって、ピン３５に取り付けられたカムフォロアー３６の外周面が接触させられている。
【００４０】
さらに、カム４１は図示しない調節機構によって軸受スリーブ７６のカム案内面に沿って角変位調節可能に設けられている。この調節によって、紙挟み手段３０の挟み動作のタイミングを調節可能である。
【００４１】
以上の構成による動作は、次のように行われる。
【００４２】
折畳装置を動作させ、各胴を回転させる。
すると、図示しない駆動源によって従動歯車９０に駆動伝達され、従動歯車９０を介して第３基体７０が回転され、２本の連結軸８０、８０、偏心カムを介して第３基体７０と一体で回転するように連結された第１基体５０及び第２基体６０が一斉に回転され、つまりは第３胴Ｆ３が回転する。各胴が回転し図９に示す回転位相に達すると、前記したように第２胴Ｆ２の先行側被切断紙ＰＣの先行側を保持していた針Ｆ２１が第２胴Ｆ２内に沈降して被切断紙ＰＣを解放するとともに、第３胴Ｆ３との近接対向位置Ｄ１に位置する差し刃Ｆ２３が第２胴Ｆ２の外周面から突出して解放された被切断紙ＰＣのほぼ中央部をヘアピン状に曲げた状態で、当該回転位相において第２胴Ｆ２と第３胴Ｆ３との近接対向位置Ｄ１で第２胴Ｆ２の差し刃Ｆ２３と対向している第３胴Ｆ３の外周面の溝Ｇ内に差し入れる。
【００４３】
この差し刃Ｆ２３による溝Ｇ内への被切断紙ＰＣの差し入れに対応して、紙留め手段１０の紙留め部材１１の紙留め部１１ａが、第３胴Ｆ３の外周面における溝Ｇ内で、この折畳装置で折り畳む紙の巻付き領域Ｌ内に進入し、差し入れられた被切断紙ＰＣのヘアピン状の曲がり部分の内側に入り込む。
【００４４】
つまり、拘束部材７４ａ（７４ｂ）に案内部材１３及び軸受１３ａ、１３ａを介して軸方向に移動可能に設けられたロッド１２が第３胴Ｆ３の回転に従って移動し、ロッド１２のフレーム側突出側にカムフォロアー取付部１２ｂ及びピン１４を介して取り付けられたカムフォロアー１５が、圧縮ばね１６の反発力に抗して紙留め動作付与手段であるカム２１のカム面に従って変位する。このカムフォロアー１５の変位により、ロッド１２が第３胴Ｆ３の中央に向かって軸方向に移動する。この移動の際、カムフォロアー取付部１２ｂに設けられたガイドピン１２ｃが、ブラケット１９に第３胴Ｆ３の中心線と平行に設けられたスリット１９ａに従って移動し、ロッド１２の軸方向移動のときのロッド１２の軸線周りの位相を拘束する。
【００４５】
ロッド１２が軸方向に移動すると、図１、図２、図４及び図５に示す実施の形態では、ロッド１２の第３胴内側突出端に滑り部材１２ａとスリット１１ｄを介して連結された紙留め取付部１１ｂ及びこれと一体の二股部材１１ｃが軸１８ｂの中心線周りに角変位し、紙留め取付部１１ｂに取り付けられた紙留め部材１１が角変位する。図１、図２、図４及び図５に示す実施の形態では、紙留め部材１１の紙留め部１１ａは、図４に実線で示す位置Ａ４に移動し、差し入れられた被切断紙ＰＣのヘアピン状の曲がり部分の内側に入り込む。
【００４６】
また、図６及び図７に示す別の実施の形態では、ロッド１２の第３胴内側突出端に連結された紙留め取付部材１１ｅ及び紙留め取付部１１ｂに取り付けられた紙留め部材１１が第３胴Ｆ３の中央に向かって軸方向に移動する。そしてこの実施の形態では、紙留め部材１１の紙留め部１１ａは、図６に実線で示す位置Ａ６に平行移動し、差し入れられた被切断紙ＰＣのヘアピン状の曲がり部分の内側に入り込む。
【００４７】
更に、差し刃Ｆ２３による溝Ｇ内への被切断紙ＰＣの差し入れに対応して、紙挟み手段３０の可動部材３１が第３胴Ｆ３の外周面における溝Ｇ内において被可動部材３２に向かって接近移動し、差し入れられた被切断紙ＰＣのヘアピン状の曲がり部分が外側から押さえられる。
【００４８】
つまり、第１基材５０に設けられた可動軸３３及びアーム３４が第３胴Ｆ３の回転に従って移動し、アーム３４の自由端にピン３５を介して取り付けられたカムフォロアー３６が図示しないねじりばねの力によって紙挟み動作付与手段であるカム４１の外周カム面４１ａに従って変位する。カムフォロアー３６がカム４１の外周カム面４１ａに従って変位すると、アーム３４を介して可動軸３３が角変位され、可動軸３３に取り付けられた可動部材３１が第２基材６０に取り付けられた非可動部材３２に対して接近移動し、差し入れられた被切断紙ＰＣのヘアピン状の曲がり部分が外側から押さえられる。
【００４９】
以上記載の第２胴Ｆ２の差し刃Ｆ２３による被切断紙ＰＣの差し込み動作に対応した前記紙留め手段１０の動作及び紙挟み手段３０の動作にかかわらず、折畳装置の各胴は回転を続ける。
【００５０】
引き続く回転により、紙留め部材１１の紙留め部１１ａがヘアピン状の曲がり部分の内側に達しかつ可動部材３１と非可動部材３２とでヘアピン状の曲がり部分を外側から押さえられた被切断紙ＰＣは、紙留め部材１１の紙留め部１１ａによって溝Ｇからの抜け出しが妨げられて第３胴Ｆ３に引き取られ、第３胴Ｆ３の回転に従って移動する。そして、被切断紙ＰＣは紙留め部１１ａが接触している部位でふたつ折れにされ、被切断紙ＰＣの、差し刃Ｆ２３にて突き出された部位よりも先行側部分を、被切断紙ＰＣの、差し刃Ｆ２３に突き出された部位よりも後行側部分の上に重ね合わせられる。また、紙挟み手段３０が被切断紙ＰＣを挟む力は、被切断紙ＰＣが溝Ｇから引き抜かれるのを防止する必要がないので、折り目付けだけに必要な程度の小さな力で行われる。
【００５１】
被切断紙ＰＣを引き取った溝Ｇが羽根車Ｆ４の上方位置、すなわち、略図９にで示すＣ１の位置に達すると、被切断紙ＰＣは紙留め手段１０及び紙挟み手段３０から解放される。
【００５２】
つまり、前記カムフォロアー１５が、圧縮ばね１６の反発力に従って紙留め動作付与手段であるカム２１のカム面に従って変位する。このカムフォロアー１５の変位により、ロッド１２がフレームＦＦａ（ＦＦｂ）に向かって軸方向に移動する。この移動の際、ガイドピン１２ｃとブラケット１９に第３胴Ｆ３の中心線と平行に設けられたスリット１９ａとの共同作用によってロッド１２の軸線周りの位相を拘束するのは、前記ロッド１２が第３胴Ｆ３の中央に向かって軸方向に移動するときと同じである。
【００５３】
ロッド１２がフレームＦＦａ（ＦＦｂ）に向かって軸方向に移動すると、図１、図２、図４及び図５に示す実施の形態では、ロッド１２の第３胴内側突出端に滑り部材１２ａとスリット１１ｄを介して連結された紙留め取付部１１ｂ及びこれと一体の二股部材１１ｃが軸１８ｂの中心線周りに角変位し、紙留め取付部１１ｂに取り付けられた紙留め部材１１が角変位する。図１、図２、図４及び図５に示す実施の形態では、紙留め部材１１の紙留め部１１ａは、被切断紙ＰＣのヘアピン状の曲がり部分の内側から抜け出て第３胴Ｆ３の外周面におけるこの折畳装置で折り畳む紙の巻付き領域Ｌから外れ、被切断紙ＰＣに干渉しない位置、つまり図４に一点鎖線で示す位置Ｂ４に移動する。
【００５４】
また、図６及び図７に示す実施の形態では、ロッド１２の第３胴内側突出端に連結された紙留め取付部材１１ｅ及び紙留め取付部１１ｂに取り付けられた紙留め部材１１がフレームＦＦａ（ＦＦｂ）に向かって軸方向に移動する。そして、紙留め部材１１の紙留め部１１ａは、被切断紙ＰＣのヘアピン状の曲がり部分の内側から抜け出て第３胴Ｆ３の外周面におけるこの折畳装置で折り畳む紙の巻付き領域Ｌから外れ、被切断紙ＰＣに干渉しない位置（図示せず）に移動する。
【００５５】
図１、図２、図４及び図５に示す実施の形態並びに図６及び図７に示す実施の形態のいずれの場合においても、紙留め動作付与手段であるカム２１は、図９において羽根車Ｆ４の上方位置Ｃ１から第２胴Ｆ２と第３胴Ｆ３との近接対向位置Ｄ１までの間に必ずしも必要でなく、この間にカム２１が設けられない場合は、ロッド１２のフレームＦＦａ（ＦＦｂ）に向かう軸方向移動を、ストッパー１７が案内部材１３の第３胴Ｆ３の中央側端面に接触して制限する。
【００５６】
他方、紙挟み手段３０の可動部材３１が第３胴Ｆ３の外周面における溝Ｇ内において非可動部材３２から遠ざかるように移動し、被切断紙ＰＣのヘアピン状の曲がり部分を押さえから解放する。
【００５７】
つまり、カムフォロアー３６が図示しないねじりばねの力に抗して紙挟み動作付与手段であるカム４１の外周カム面４１ａに従って変位する。すると、アーム３４を介して可動軸３３が角変位され、可動軸３３に取り付けられた可動部材３１が非可動部材３２から遠ざかるように移動し、被切断紙ＰＣのヘアピン状の曲がり部分を押さえから解放する。
【００５８】
【発明の効果】
以上記載のとおりなので、この発明を実施したことによって、一方の胴に設けた差し刃で他方の胴の外周面に設けられた溝内に差し込まれた被切断紙を前記溝に受入れて前記中間部で他方の胴の中心線と平行に折畳む輪転機の折畳装置において、他方の胴が一方の胴から紙を引き取る動作中に大きな引き戻し力が作用しても、紙留め手段により溝内に留められて紙の抜け落ちを無くすことができ、抜け落ちによる紙詰まりなどの生産トラブルを一掃し、生産性の向上を果たすことができた。
【００５９】
また、前記引取りに際して、折畳まれ重ねられて接触している印刷面相互の接触圧力は小さくてすみ、互いに接触している相手面からの印刷画像の転移を無くすことができ、接触している相手面からの印刷画像の転移による印刷面の汚れを無くすことができたので、印刷品質の高い印刷物の生産が可能になった。
【００６０】
さらに、請求項２の発明では、前記効果に加えて、折畳まれた印刷物により明確な折り目付けが可能となり、折りの弛さに起因する印刷物の後処理における不都合の発生を防止可能である。
【図面の簡単な説明】
【図１】この発明の折畳装置に係る主要機構の１つの実施の形態を、回転胴との関係で示す、図２におけるＴ−Ｔ矢視断面図である。
【図２】図１のＵ−Ｕ矢視断面図である。
【図３】図１のＶ−Ｖ矢視断面図である。
【図４】この発明の折畳装置に係る主要機構である図１におけるＷ部を拡大して示す一部断面図である。
【図５】図４のＸ−Ｘ矢視一部断面図である。
【図６】図４に示す機構とは異なるこの発明の折畳装置に係る主要機構を拡大して示す一部断面図である。
【図７】図６にＹ−Ｙ矢視一部断面図である。
【図８】図６のVIII矢視図である。
【図９】この発明の折畳装置の１つの実施の形態の概略構成を示す説明図である。
【符号の説明】
１０…紙留め手段、１１…紙留め部材、１１ａ…紙留め部、
１１ｂ…紙留め取付部、１１ｃ…二股部材、１１ｄ…スリット、
１１ｅ…紙留め取付部材、１２…ロッド、１２ａ…滑り部材、
１２ｂ…カムフォロアー取付部、１２ｃ…ガイドピン、１３…案内部材、
１３ａ…軸受、１４…ピン、１５…カムフォロアー、１６…圧縮ばね、
１７…ストッパー、１８…ブラケット、１８ａ…アーム、１８ｂ…軸、
１９…ブラケット、１９ａ…スリット、２１…カム（紙留め動作付与手段）、２１ａ…ブラケット、
２１ｂ…ブラケット、３０…紙挟み手段、３１…可動部材、３２…非可動部材、
３３…可動軸、３４…アーム、３５…ピン、３６…カムフォロアー、
３７…可動部材取付けブロック、４１…カム（紙挟み動作付与手段）、
４１ａ…外周カム面、４１ｂ…溝、５０…第１基体、５１ａ、５１ｂ…第１側板、
５２…ステー、６０…第２基体、６１ａ、６１ｂ…第２側板、６２…ステー、
７０…第３基板、７１…本体、７２…ステー、７３ａ、７３ｂ…端軸、
７４ａ、７４ｂ…拘束部材、７５…軸受、７６…軸受スリーブ、７７…軸受、
７８…軸受、７９…軸受スリーブ、８０…連結軸、９０…従動歯車、
１００…中間歯車機構、
Ｆ１…第１胴、Ｆ２…第２胴（一方の胴）、Ｆ３…第３胴（他方の胴）、
Ｆ４…羽根車、Ｆ１１…鋸刃、Ｆ２１…針、Ｆ２２…鋸刃受け、Ｆ２３…差し刃、
ＦＡ…受領羽根、ＦＣ…搬出コンベヤ、ＦＦａ、ＦＦｂ…フレーム、
ＦＮ…ニッピングローラー、Ｇ…溝、Ｇ１…第１歯車、Ｇ２…第２歯車、Ｇ３…歯車、
ＧＳ…歯車機構、ＰＣ…被切断紙、Ｗ…連続紙、
Ａ４…紙留め部が被切断紙のヘアピン状の曲がり部分の内側に入り込む位置、
Ａ６…紙留め部が被切断紙のヘアピン状の曲がり部分の内側に入り込む位置、
Ｂ４…紙留め部が被切断紙のヘアピン状の曲がり部分の内側から抜け出た位置、
Ｃ１…羽根車の上方位置、Ｄ１…第２胴Ｆ２と第３胴Ｆ３との近接対向位置、
Ｌ…折畳装置で折り畳む紙の巻付き領域
【図１】
0003669354.tif 000002
【図２】
0003669354.tif 000003
【図３】
0003669354.tif 000004
【図４】
0003669354.tif 000005
【図５】
0003669354.tif 000006
【図６】
0003669354.tif 000007
【図７】
0003669354.tif 000008
【図８】
0003669354.tif 000009
【図９】
0003669354.tif 000010